(57)【要約】【課題】映像表示装置で字幕の属性を変更するための装置及び方法を提供すること。【解決手段】本発明はタッチスクリーンを備える映像表示装置で字幕の属性を変更するための装置及び方法に関するものである。この時、字幕の属性を変更するための方法は動画コンテンツを再生する過程と、前記の再生中の動画コンテンツに対応される字幕が存在する場合、前記動画コンテンツに対応される字幕を表示する過程と、前記字幕が表示された領域に対するタッチが感知された場合、前記のタッチ情報に基づいて前記字幕の属性を変更する過程と、を含んでいる。【選択図】図１
2013168927.tif 000002
【特許請求の範囲】
【請求項１】
映像表示装置で字幕の属性を変更するための方法において、
動画コンテンツを再生する過程と、
前記再生中の動画コンテンツに対応する字幕が存在する場合、前記動画コンテンツに対応する字幕を表示する過程と、
前記字幕が表示された領域に対するタッチが感知された場合、前記タッチの情報に基づいて前記字幕の属性を変更する過程と、を含むことを特徴とする方法。
【請求項２】
前記字幕の属性は、字幕の大きさ、字幕の文字色、字幕の書体、字幕文字の言語及び字幕の透明度の中で少なくとも一つを含むことを特徴とする請求項１に記載の方法。
【請求項３】
前記字幕の属性を変更する過程は、
前記動画コンテンツの再生中、前記字幕が表示された領域に対するマルチタッチが感知された場合、前記マルチタッチの地点の間隔変化を考慮して変更割合を決定する過程と、
前記変更割合によって前記表示された字幕の大きさを変更する過程を含むことを特徴とする請求項１又は２に記載の方法。
【請求項４】
前記字幕の属性を変更する過程は、
前記動画コンテンツの再生中、前記字幕が表示された領域に対する第１タッチが感知された場合、前記第１タッチに対するタッチの持続時間を考慮して字幕の属性変更モードを活性化させる過程と、
第２タッチが感知された場合、前記第２タッチの地点を考慮して変更割合を決定する過程と、
前記変更割合を考慮して前記表示中の字幕の大きさを変更する過程と、を含むことを特徴とする請求項１又は２に記載の方法。
【請求項５】
前記字幕の属性を変更する過程は、
前記動画コンテンツの再生中、前記字幕が表示された領域に対する第１タッチが感知された場合、前記第１タッチに対するタッチの持続時間を考慮して字幕の属性変更モードを活性化させる過程と、
前記第１タッチの地点からドラッグが感知された場合、前記ドラッグの長さを考慮して変更割合を決定する過程と、
前記変更割合を考慮して前記表示中の字幕の大きさを変更する過程と、を含むことを特徴とする請求項１又は２に記載の方法。
【請求項６】
前記字幕の属性を変更する過程は、
前記動画コンテンツの再生中、前記字幕が表示された領域に対するタッチが感知された場合、既に設定された字幕の属性変更手順を確認する過程と、
前記字幕の属性変更手順によって前記表示中の字幕の属性を変更する過程を含むことを特徴とする請求項１又は２に記載の方法。
【請求項７】
前記字幕が表示された領域は、前記動画コンテンツが表示された表示領域の一部領域を含むことを特徴とする請求項１から６のいずれか１項に記載の方法。
【請求項８】
映像表示装置で字幕の位置を変更するための方法において、
動画コンテンツを再生する過程と、
前記再生中の動画コンテンツに対応する字幕が存在する場合、前記動画コンテンツに対応する字幕を表示する過程と、
前記字幕が表示された領域に対するタッチが感知された場合、前記タッチの情報に基づいて前記字幕の位置を変更する過程と、を含むことを特徴とする方法。
【請求項９】
前記字幕の位置を変更する過程は、
前記動画コンテンツの再生中、前記字幕が表示された領域に対する第１タッチが感知された場合、前記第１タッチに対するタッチの持続時間を考慮して字幕の位置変更モードを活性化させる過程と、
第２タッチが感知された場合、前記第２タッチの地点の距離を考慮して前記字幕の位置を変更する過程を含むことを特徴とする請求項８に記載の方法。
【請求項１０】
前記字幕の位置を変更する過程は、
前記動画コンテンツの再生中、前記字幕が表示された領域に対する第１タッチが感知された場合、前記第１タッチに対するタッチの持続時間を考慮して字幕の位置変更モードを活性化させる過程と、
前記第１タッチの地点からドラッグが感知された場合、前記ドラッグの終了した地点に前記字幕の位置を変更する過程を含むことを特徴とする請求項８に記載の方法。
【請求項１１】
映像表示装置において、
タッチスクリーンと、
動画コンテンツを再生して、前記動画コンテンツに対応される字幕を表示して、前記字幕が表示された領域に対するタッチが感知された場合、前記タッチの情報に基づいて前記字幕の属性を変更するように制御する制御部と、
前記動画コンテンツ及び前記字幕を表示する表示部と、を含むことを特徴とする装置。
【請求項１２】
前記字幕の属性は、字幕の大きさ、字幕の文字色、字幕の書体、字幕文字の言語及び字幕の透明度の中で少なくとも一つを含むことを特徴とする請求項１１に記載の装置。
【請求項１３】
前記制御部は、前記動画コンテンツの再生中、前記字幕が表示された領域に対するマルチタッチが感知された場合、前記マルチタッチの地点の間隔変化による変更割合を考慮して前記表示部に表示された字幕の大きさを変更するように制御することを特徴とする請求項１１又は１２に記載の装置。
【請求項１４】
前記制御部は、前記動画コンテンツの再生中、前記字幕が表示された領域に対する第１タッチが感知された場合、前記第１タッチに対するタッチの持続時間を考慮して字幕の属性変更モードを活性化させて、第２タッチが感知された場合、前記第２タッチの地点による変更割合を考慮して前記表示部に表示中の字幕の大きさを変更するように制御することを特徴とする請求項１１又は１２に記載の装置。
【請求項１５】
前記制御部は、前記動画コンテンツの再生中、前記字幕が表示された領域に対する第１タッチが感知された場合、前記第１タッチに対するタッチの持続時間を考慮して字幕の属性変更モードを活性化させて、前記第１タッチの地点からドラッグが感知された場合、前記ドラッグの長さによる変更割合を考慮して前記表示部に表示中の字幕の大きさを変更するように制御することを特徴とする請求項１１又は１２に記載の装置。
【請求項１６】
前記制御部は、前記動画コンテンツの再生中、前記字幕が表示された領域に対するタッチが感知された場合、既に設定された字幕の属性変更手順によって前記表示部に表示中の字幕の属性を変更するように制御することを特徴とする請求項１１又は１２に記載の装置。
【請求項１７】
前記字幕が表示された領域は、前記動画コンテンツが表示された表示領域の一部領域を含むことを特徴とする請求項１１から１６のいずれか１項に記載の装置。
【請求項１８】
映像表示装置において、
タッチスクリーンと、
動画コンテンツを再生して、前記動画コンテンツに対応する字幕を表示して、字幕表示領域に対するタッチ入力が感知される場合、前記タッチ入力によって表示された字幕の位置を変更するように制御する制御部と、
前記動画コンテンツ及び前記字幕を表示する表示部と、を含むことを特徴とする装置。
【請求項１９】
前記制御部は、前記動画コンテンツの再生中、前記字幕が表示された領域に対する第１タッチが感知された場合、前記第１タッチに対するタッチの持続時間を考慮して字幕の位置変更モードを活性化させて、第２タッチが感知された場合、前記第２タッチの地点の距離を考慮して前記表示部に表示中の字幕の位置を変更するように制御することを特徴とする請求項１８に記載の装置。
【請求項２０】
前記制御部は、前記動画コンテンツの再生中、前記字幕が表示された領域に対する第１タッチが感知された場合、前記第１タッチに対するタッチの持続時間を考慮して字幕の位置変更モードを活性化させて、前記第１タッチの地点からドラッグが感知された場合、前記ドラッグの終了した地点に前記表示部に表示中の字幕の位置を変更するように制御することを特徴とする請求項１８に記載の装置。
【発明の詳細な説明】
【技術分野】
【０００１】
本発明は映像表示装置で字幕を表示するための装置及び方法に関することで、特に、映像表示装置で字幕の属性を変更するための装置及び方法に関するものである。
【背景技術】
【０００２】
ポータブル電子装置は音声通話サービスだけではなく、データ送信サービスと多様な付加サービスも提供するマルチメディア通信機器に変貌している。例えば、ポータブル電子装置は音声通話サービスに加えて音楽再生サービス、メッセージサービス、カメラサービス及び映像再生サービスなどを提供している。
【０００３】
動画を再生する場合、ポータブル電子装置は必要によって再生する動画及び字幕を表示部に表示する。例えば、ポータブル電子装置は既に設定された字幕の属性によって動画が表示される表示部の一部領域に字幕を表示する。
【０００４】
もし、ポータブル電子装置の使用者が字幕の属性を変更する場合、ポータブル電子装置の使用者は字幕ファイルを再構成するとか、字幕の属性変更メニューを利用して字幕の属性を変更しなければならない不便さがある。例えば、動画再生中の字幕の属性を変更する場合、ポータブル電子装置の使用者は再生中の動画を中止させた後、字幕の属性変更メニューを利用して字幕の属性を変更しなければならない不便さがある。
【０００５】
以上の理由から、ポータブル電子装置で字幕の属性を簡単に変更するための使用者インターフェースが必要とされている。
【先行技術文献】
【特許文献】
【０００６】
【特許文献１】韓国特許出願公開第１０−２０１０−０００２５６号公報
【発明の概要】
【発明が解決しようとする課題】
【０００７】
したがって、本発明の目的は映像表示装置で字幕の属性を変更するための装置及び方法を提供することにある。
【０００８】
本発明の他の目的は、映像表示装置で動画再生中の字幕の属性を変更するための装置及び方法を提供することにある。
【０００９】
本発明のさらなる他の目的は、映像表示装置で動画再生中のタッチイベントの発生情報によって字幕の属性を変更するための装置及び方法を提供することにある。
【００１０】
本発明のさらなる他の目的は、映像表示装置で動画再生中のタッチイベントの発生情報によって字幕の大きさを変更するための装置及び方法を提供することにある。
【００１１】
本発明のさらなる他の目的は、映像表示装置で動画再生中のタッチイベントの発生情報によって字幕の位置を変更するための装置及び方法を提供することにある。
【課題を解決するための手段】
【００１２】
本発明の目的を果たすための本発明の第１見地によると、タッチスクリーンを備える映像表示装置で字幕の属性を変更するための方法は、動画コンテンツを再生する過程と、前記の再生中の動画コンテンツに対応される字幕が存在する場合、前記動画コンテンツに対応される字幕を表示する過程と、前記字幕が表示された領域に対するタッチが感知された場合、前記のタッチ情報に基づいて前記字幕の属性を変更する過程と、を含んでいる。
【００１３】
本発明の第２見地によると、タッチスクリーンを備える映像表示装置で字幕の位置を変更するための方法は、動画コンテンツを再生する過程と、前記の再生中の動画コンテンツに対応される字幕が存在する場合、前記動画コンテンツに対応される字幕を表示する過程と、前記字幕が表示された領域に対するタッチが感知された場合、前記のタッチ情報に基づいて前記字幕の位置を変更する過程と、を含んでいる。
【００１４】
本発明の第３見地によると、映像表示装置で字幕の属性を変更するための装置は、タッチスクリーンと、動画コンテンツを再生して、前記動画コンテンツに対応される字幕を表示して、前記字幕が表示された領域に対するタッチが感知された場合、前記のタッチ情報に基づいて前記字幕の属性を変更するように制御する制御部と、前記動画コンテンツ及び前記字幕を表示する表示部と、を含んでいる。
【００１５】
本発明の第４見地によると、映像表示装置で字幕の位置を変更するための装置は、タッチスクリーンと、動画コンテンツを再生して、前記動画コンテンツに対応される字幕を表示して、字幕表示領域に対するタッチ入力が感知される場合、前記タッチ入力によって表示された字幕の位置を変更するように制御する制御部と、前記動画コンテンツ及び前記字幕を表示する表示部と、を含んでいる。
【図面の簡単な説明】
【００１６】
【図１】本発明による映像表示装置のブロック構成を図示する図面である。
【図２】本発明の実施形態による映像表示装置で字幕の属性を変更するためのプロセスを図示する図面である。
【図３】本発明の実施形態による映像表示装置で字幕の書体を変更するための画面の構成を図示する図面である。
【図４】本発明の実施形態による映像表示装置で字幕の大きさを変更するためのプロセスを図示する図面である。
【図５】本発明の実施形態による映像表示装置で字幕の大きさを変更するための画面の構成を図示する図面である。
【図６】本発明の他の実施形態による映像表示装置で字幕の大きさを変更するためのプロセスを図示する図面である。
【図７】本発明の他の実施形態による映像表示装置で字幕の大きさを変更するための画面の構成を図示する図面である。
【図８】本発明の実施形態による映像表示装置で字幕の位置を変更するためのプロセスを図示する図面である。
【図９】本発明の実施形態による映像表示装置で字幕の位置を変更するための画面の構成を図示する図面である。
【発明を実施するための形態】
【００１７】
以下、本発明の好ましい実施形態を添付された図面を参照して詳しく説明する。そして、本発明を説明するにおいて、係わる公知機能あるいは構成に対する具体的な説明が本発明の要旨を不必要に不明瞭とする可能性があると判断された場合、その詳細な説明は略する。そして後述される用語は、本発明での機能を考慮して定義された用語としてこれは使用者、運用者の意図または慣例などによって変わる可能性がある。したがって、その定義は本明細書の全般に渡る内容を考慮して判断されなければならない。
【００１８】
以下、本発明は映像表示装置で動画再生中の字幕の属性を変更するための技術について説明する。
【００１９】
以下の説明で、映像表示装置は動画を再生することができる移動通信端末機、ＰＤＡ（Ｐｅｒｓｏｎａｌ  Ｄｉｇｉｔａｌ  Ａｓｓｉｓｔａｎｔ）、ラップトップ（Ｌａｐｔｏｐ）コンピューター、デスクトップ（Ｄｅｓｋｔｏｐ）コンピューター、スマートフォン（Ｓｍａｒｔ  Ｐｈｏｎｅ）、ネットブック（Ｎｅｔｂｏｏｋ）、モバイルインターネットデバイス（ＭＩＤ：Ｍｏｂｉｌｅ  Ｉｎｔｅｒｎｅｔ  Ｄｅｖｉｃｅ）、ウルトラモバイルＰＣ（ＵＭＰＣ：Ｕｌｔｒａ  Ｍｏｂｉｌｅ  ＰＣ）、タブレットＰＣ（Ｔａｂｌｅｔ  Ｐｅｒｓｏｎａｌ  Ｃｏｍｐｕｔｅｒ）、ナビゲーション、ＭＰ３及びスマートＴＶ（Ｔｅｌｅｖｉｓｉｏｎ）などを含んでいる。
【００２０】
図１は本発明による映像表示装置のブロック構成を図示している。以下の説明で、映像表示装置は信号を送受信するための通信部を含むと仮定する。
【００２１】
図１の図示のように映像表示装置は制御部１００、表示部１１０、入力部１２０、保存部１３０、オーディオ信号処理部１４０及び通信部１５０を含んでいる。
【００２２】
制御部１００は映像表示装置の全体的な動作制御を遂行する。
【００２３】
制御部１００は動画コンテンツの再生を制御する。もし、制御部１００は動画コンテンツに対する字幕ファイルが存在する場合は、動画コンテンツと一緒に字幕を表示部１１０に表示するように制御する。
【００２４】
また、制御部１００は動画再生中に感知されたタッチ情報に基づいて字幕の属性を変更することもできる。例えば、制御部１００は動画再生中の字幕領域に対するタップ（Ｔａｐ）が感知された場合、字幕の属性を変更する。ここで、字幕の属性は字幕の色、書体、字幕の透明度、字幕文字の言語及び字幕の大きさなどを含んでいる。また、タップは使用者がタッチスクリーンをタッチした後、すぐにタッチを解除する一連の動作を示す。
【００２５】
他の例では、制御部１００は動画再生中の字幕領域に対するマルチタッチが感知された場合、マルチタッチの間隔変化を考慮して字幕の大きさを変更することができる。
【００２６】
また他の例では、制御部１００は動画再生中の字幕領域に対するタッチが基準時間以上に維持される場合、字幕の大きさ変更モードを活性化する。以後、タップが感知された場合、制御部１００はタップ地点を考慮して字幕の大きさを変更することもできる。
【００２７】
また他の例では、制御部１００は動画再生中の字幕領域に対するタッチが基準時間以上に維持される場合、字幕の大きさ変更モードを活性化する。以後、ドラッグが感知された場合、制御部１００はドラッグの距離を考慮して字幕の大きさを変更することもできる。
【００２８】
また他の例では、制御部１００は動画再生中の字幕領域に対するタッチが基準時間以上に維持される場合、字幕の位置変更モードを活性化する。以後、ドラッグが感知された場合、制御部１００はドラッグの情報によって字幕の位置を変更することもできる。
【００２９】
表示部１１０は制御部１００の制御によって映像表示装置の状態情報、使用者が入力する文字、動画像（Ｍｏｖｉｎｇ  Ｐｉｃｔｕｒｅ）及び静止画像（Ｓｔｉｌｌ  Ｐｉｃｔｕｒｅ）などを表示する。例えば、表示部１１０は制御部１００の制御によって動画及び字幕を表示する。以後、表示部１１０は制御部１００の制御によって字幕の属性または字幕の位置を変更することもできる。
【００３０】
もし、表示部１１０がタッチスクリーンで構成されている場合、表示部１１０はタッチパッドを通じて感知した入力データを制御部１００に提供する。
【００３１】
入力部１２０は使用者の選択によって発生する入力データを制御部１００に提供する。例えば、入力部１２０は映像表示装置の制御のための制御ボタンのみを含んで構成される。他の例では、入力部１２０は使用者から入力データの提供を受けるためのキーパッドで構成されることもできる。
【００３２】
保存部１３０は映像表示装置の動作を制御するためのプログラムを保存するプログラム保存部及びプログラム遂行の中に発生されるデータを保存するデータ保存部で構成されることができる。例えば、保存部１３０は制御部１００の制御によって字幕の属性変更イベントの発生時に、変更するための字幕の属性情報を保存する。他の例では、保存部１３０は字幕の属性情報を変更するためのプログラムを保存することもできる。この場合、制御部１００は保存部１３０に保存された字幕の属性情報を変更するためのプログラムを実行して、字幕の属性情報を変更することもできる。
【００３３】
オーディオ信号処理部１４０はオーディオ信号の入出力を制御する。例えば、オーディオ信号処理部１４０は制御部１００から提供してもらったオーディオ信号をスピーカーを通じて外部へ送出して、マイクから提供してもらったオーディオ信号を制御部１００に提供する。
【００３４】
通信部１５０はアンテナを通じて送受信される信号を処理する。
【００３５】
図２は本発明の実施形態による映像表示装置で字幕の属性を変更するためのプロセスを図示している。
【００３６】
図２を参照すると、映像表示装置は２０１段階でビデオファイルを再生するかどうかを確認する。例えば、映像表示装置は使用者の操作によって、再生するためのビデオファイルが選択されるのか確認する。
【００３７】
ビデオファイルを再生していない場合、映像表示装置は本アルゴリズムを終了する。
【００３８】
一方、ビデオファイルを再生する場合、映像表示装置は２０３段階に進行して字幕を提供するかどうかを確認する。例えば、映像表示装置は再生するビデオファイルに対応される字幕ファイルが存在するのかを確認する。他の例えば、映像表示装置は使用者の操作によって実行するための字幕ファイルが選択されるのかを確認する。
【００３９】
字幕を提供していない場合、映像表示装置は本アルゴリズムを終了する。
【００４０】
一方、字幕を提供する場合、映像表示装置は２０５段階に進行して再生中の映像の一部領域に字幕情報を表示する。例えば、映像表示装置は図３の（ａ）の図示のように再生中の映像の下端の一部領域に字幕情報を表示する。
【００４１】
以後、映像表示装置は２０７段階に進行して属性変更イベントが発生するのかどうかを確認する。例えば、映像表示装置は図３の（ｂ）の図示のように字幕領域３００に対するタップが感知されるのかを確認する。
【００４２】
属性変更イベントが発生していない場合、映像表示装置は２０５段階に進行して再生中の映像の一部領域に字幕情報を表示する。すなわち、映像表示装置は再生中の映像に対する字幕表示を維持する。
【００４３】
一方、属性変更イベントが発生している場合、映像表示装置は２０９段階に進行して字幕の属性を変更する。この時、映像表示装置は既に設定された属性変更手順によって字幕の属性を変更する。例えば、属性変更イベントによって字幕の書体を“明朝体”->“ゴシック体”->“浮き出し体”の順に変更することで設定された場合、電子装置は図３の（ｂ）の図示のように字幕領域に対するタップによって“明朝体”で表示された字幕を図３の（ｃ）の図示のように“ゴシック体”に変更する。他の例では、属性変更イベントによって字幕の色を“白色”->“黒色”->“黄色”の順に変更するように設定された場合、映像表示装置は字幕領域に対するタップによって“白色”の字幕を“黒色”に変更することもできる。
【００４４】
以後、映像表示装置は本アルゴリズムを終了する。
【００４５】
前述のように映像表示装置は属性変更イベントによって字幕の属性を変更する。この時、映像表示装置は下記の図４の図示のようにマルチタッチを利用して字幕の大きさを変更することもできる。
【００４６】
図４は本発明の実施形態による映像表示装置で字幕の大きさを変更するためのプロセスを図示している。
【００４７】
図４を参照すると、映像表示装置は４０１段階でビデオファイルを再生するかどうかを確認する。例えば、映像表示装置は使用者の操作によって再生するためのビデオファイルが選択されるのかを確認する。
【００４８】
ビデオファイルを再生していない場合、映像表示装置は本アルゴリズムを終了する。
【００４９】
一方、ビデオファイルを再生している場合、映像表示装置は４０３段階に進行して字幕を提供するかどうかを確認する。例えば、映像表示装置は再生するビデオファイルに対応される字幕ファイルが存在するのかを確認する。他の例では、映像表示装置は使用者の操作によって実行するための字幕ファイルが選択されるのかを確認する。
【００５０】
字幕を提供していない場合、映像表示装置は本アルゴリズムを終了する。
【００５１】
一方、字幕を提供している場合、映像表示装置は４０５段階に進行して再生中の映像の一部領域に字幕情報を表示する。例えば、映像表示装置は図５の（ａ）の図示のように再生中の映像の下端の一部領域に字幕情報を表示する。
【００５２】
以後、映像表示装置は４０７段階に進行してマルチタッチイベントが発生するのかどうかを確認する。例えば、映像表示装置は図５の（ｂ）の図示のように字幕領域５００に対するマルチタッチが感知されるのかを確認する。
【００５３】
マルチタッチイベントが発生していない場合、映像表示装置は４０５段階に進行して再生中の映像の一部領域に字幕情報を表示する。すなわち、映像表示装置は再生中の映像に対する字幕表示を維持する。
【００５４】
一方、マルチタッチイベントが発生している場合、映像表示装置は４０９段階に進行して拡大イベントが発生するのかどうかを確認する。例えば、映像表示装置は図５の（ｃ）の図示のようにマルチタッチ地点の間隔が広くなるのかを確認する。
【００５５】
マルチタッチ地点の間隔が広くなる場合、映像表示装置は拡大イベントが発生したと認識する。これによって、映像表示装置は４１１段階に進行してマルチタッチ地点たちの間隔変化を考慮して字幕の拡大割合を決定する。
【００５６】
以後、映像表示装置は４１３段階に進行して字幕の拡大割合によって字幕の文字の大きさを拡大して表示する。例えば、映像表示装置は図５の（ｄ）の図示のように字幕の拡大割合によって字幕の文字の大きさを拡大して表示する。
【００５７】
一方、拡大イベントが発生していない場合、映像表示装置は４１５段階に進行して縮小イベントが発生するのかどうかを確認する。例えば、映像表示装置はマルチタッチ地点たちの間隔が狭くなるのかを確認する。
【００５８】
マルチタッチ地点たちの間隔が狭くなる場合、映像表示装置は縮小イベントが発生したと認識する。これによって、映像表示装置は４１７段階に進行してマルチタッチ地点たちの間隔変化を考慮して字幕の縮小割合を確認する。
【００５９】
以後、映像表示装置は４１９段階に進行して字幕の縮小割合によって字幕の文字の大きさを縮小して表示する。
【００６０】
一方、縮小イベントが発生していない場合、映像表示装置は４２１段階に進行してマルチタッチが解除されるのかどうかを確認する。
【００６１】
マルチタッチが解除されていない場合、映像表示装置は４０９段階に進行して拡大イベントが発生するのかを確認する。
【００６２】
一方、マルチタッチが解除されている場合、映像表示装置は本アルゴリズムを終了する。
【００６３】
前述の実施形態で映像表示装置は字幕領域に対するマルチタッチ情報を考慮して字幕の大きさを変更する。
【００６４】
他の実施形態で映像表示装置は下記の図６の図示のようにシングルタッチ（Ｓｉｎｇｌｅ  Ｔｏｕｃｈ）情報を利用して字幕の大きさを変更することもできる。
【００６５】
図６は本発明の他の実施形態による映像表示装置で字幕の大きさを変更するためのプロセスを図示している。
【００６６】
図６を参照すると、映像表示装置は６０１段階でビデオファイルを再生するかどうかを確認する。例えば、映像表示装置は使用者の操作によって再生するためのビデオファイルが選択されるのかを確認する。
【００６７】
ビデオファイルを再生していない場合、映像表示装置は本アルゴリズムを終了する。
【００６８】
一方、ビデオファイルを再生している場合、映像表示装置は６０３段階に進行して字幕を提供するかどうかを確認する。例えば、映像表示装置は再生するビデオファイルに対応される字幕ファイルが存在するのかを確認する。他の例えば、映像表示装置は使用者の操作によって実行するための字幕ファイルが選択されるのかを確認する。
【００６９】
字幕を提供していない場合、映像表示装置は本アルゴリズムを終了する。
【００７０】
一方、字幕を提供する場合、映像表示装置は６０５段階に進行して再生中の映像の一部領域に字幕情報を表示する。例えば、映像表示装置は図７の（ａ）の図示のように再生中の映像の下端の一部領域に字幕情報を表示する。
【００７１】
以後、映像表示装置は６０７段階に進行して字幕領域に対するタッチイベントが発生するのかどうかを確認する。例えば、映像表示装置は図７の（ｂ）の図示のように字幕領域７００に対するタッチが感知されるのかを確認する。
【００７２】
タッチイベントが発生していない場合、映像表示装置は６０５段階に進行して再生中の映像の一部領域に字幕情報を表示する。すなわち、映像表示装置は再生中の映像に対する字幕表示を維持する。
【００７３】
一方、タッチイベントが発生している場合、映像表示装置は６０９段階に進行して字幕領域に対するタッチの持続時間と基準時間を比べる。すなわち、映像表示装置は字幕領域に対するタッチの持続時間が基準時間より長いかを確認する。
【００７４】
タッチの持続時間が基準時間より長い場合、映像表示装置は６１１段階に進行して字幕の大きさ変更モードを活性化させる。この時、映像表示装置は字幕の大きさ変更モードの活性化の情報を示すために表示領域を陰影表示することができる。また、映像表示装置は字幕の大きさ変更モードが活性化になってもビデオファイルを持続的に再生する。
【００７５】
以後、映像表示装置は６１３段階に進行して字幕の大きさ変更割合を確認する。例えば、映像表示装置は図７の（ｃ）の図示のように字幕の大きさ変更モードを活性化させるための第１タッチ地点７０２と字幕の大きさ変更モードが活性化になった後に感知された第２タッチ地点７０４の距離を考慮して字幕の大きさ変更割合を決定する。他の例えば、映像表示装置は字幕の大きさ変更モードを活性化した後に、第１タッチ地点７０２からドラッグ距離を考慮して字幕の大きさ変更割合を決定することもできる。
【００７６】
字幕の大きさ変更割合を確認した後、映像表示装置は６１５段階に進行して字幕の大きさ変更割合によって字幕の文字の大きさを変更して表示する。例えば、映像表示装置は図７の（ｄ）の図示のように字幕の大きさ変更割合によって字幕の文字の大きさを拡大して表示する。
【００７７】
一方、字幕領域に対するタッチの持続時間が基準時間より短い場合、映像表示装置は６１７段階に進行してタッチが解除されるのかどうかを確認する。
【００７８】
タッチが解除されていない場合、映像表示装置は６０９段階に進行してタッチの持続時間と基準時間を比べる。
【００７９】
一方、タッチが解除されている場合、映像表示装置は本アルゴリズムを終了する。
【００８０】
以下の説明は、映像表示装置で字幕の位置を変更するための方法についての説明である。
【００８１】
図８は本発明の実施形態による映像表示装置で字幕の位置を変更するためのプロセスを図示している。
【００８２】
図８を参照すると、映像表示装置は８０１段階でビデオファイルを再生するかどうかを確認する。例えば、映像表示装置は使用者の操作によって再生するためのビデオファイルが選択されるのかを確認する。
【００８３】
ビデオファイルを再生していない場合、映像表示装置は本アルゴリズムを終了する。
【００８４】
一方、ビデオファイルを再生する場合、映像表示装置は８０３段階に進行して字幕を提供するかどうかを確認する。例えば、映像表示装置は再生するビデオファイルに対応する字幕ファイルが存在するのかを確認する。他の例では、映像表示装置は使用者の操作によって実行するための字幕ファイルが選択されるのかを確認する。
【００８５】
字幕を提供していない場合、映像表示装置は本アルゴリズムを終了する。
【００８６】
一方、字幕を提供している場合、映像表示装置は８０５段階に進行して再生中の映像の一部領域に字幕情報を表示する。例えば、映像表示装置は図９の（ａ）の図示のように再生中の映像の下端の一部領域に字幕情報を表示する。
【００８７】
以後、映像表示装置は８０７段階に進行して字幕領域に対するタッチイベントが発生するのかどうかを確認する。例えば、映像表示装置は図９の（ｂ）の図示のように字幕領域９００に対するタッチが感知されるのかを確認する。
【００８８】
タッチイベントが発生していない場合、映像表示装置は８０５段階に進行して再生中の映像の一部領域に字幕情報を表示する。すなわち、映像表示装置は再生中の映像に対する字幕表示を維持する。
【００８９】
一方、タッチイベントが発生している場合、映像表示装置は８０９段階に進行してタッチの持続時間と基準時間を比べる。すなわち、映像表示装置は字幕領域に対するタッチの持続時間が基準時間より長いかを確認する。 
【００９０】
タッチの持続時間が基準時間より長い場合、映像表示装置は８１１段階に進行して字幕の位置変更モードを活性化させる。この時、映像表示装置は字幕の位置変更モードの活性化の情報を示すために表示領域を陰影表示することもできる。また、映像表示装置は字幕の位置変更モードが活性化になってもビデオファイルを持続的に再生する。
【００９１】
以後、映像表示装置は８１３段階に進行して字幕の変更位置を確認する。例えば、映像表示装置は字幕の位置変更モードが活性化した後、感知されたタップ地点を字幕の変更位置として認識する。他の例えば、映像表示装置は図９のＣの図示のように字幕の位置変更モードが活性化した後に、感知したドラッグの終了地点を字幕の変更位置として認識することもできる。
【００９２】
字幕の変更位置を確認した後、映像表示装置は８１５段階に進行して字幕の変更位置に字幕の位置を変更して表示する。例えば、映像表示装置は図９の（ｄ）の図示のように字幕を表示領域の右側に変更する。
【００９３】
一方、タッチの持続時間が基準時間より短い場合、映像表示装置は８１７段階に進行して字幕領域に対するタッチが解除されるのかどうかを確認する。
【００９４】
タッチが解除されていない場合、映像表示装置は８０９段階に進行してタッチの持続時間と基準時間を比べる。
【００９５】
一方、タッチが解除されている場合、映像表示装置は本アルゴリズムを終了する。
【００９６】
前述のように映像表示装置で動画再生中に感知されたタッチ情報に基づいて字幕の属性を変更することで、再生中の動画を中止せずに、字幕の属性を容易く変更することができる利点がある。
【００９７】
一方、本発明の詳細な説明では具体的な実施形態について説明しているが、本発明の範囲から外れない限度内でさまざまな変形が可能である。したがって、本発明の範囲は説明された実施形態に限定して定められるべきではなく、後述する特許請求の範囲と、この特許請求の範囲と均等なものなどによって決まらなければならない。
【符号の説明】
【００９８】
１００  制御部
１１０  表示部
１２０  入力部
１３０  保存部
１４０  オーディオ信号処理部
１５０  通信部
７００  字幕領域
７０２  第１タッチ地点
７０４  第２タッチ地点
【図１】
2013168927.tif 000003
【図２】
2013168927.tif 000004
【図３】
2013168927.tif 000005
【図４】
2013168927.tif 000006
【図５】
2013168927.tif 000007
【図６】
2013168927.tif 000008
【図７】
2013168927.tif 000009
【図８】
2013168927.tif 000010
【図９】
2013168927.tif 000011